Podtech/llm-jp-corpus-v4-ja_patent huggingface dataset:
【手続補正書】
【提出日】令和1年8月9日(2019.8.9)
【手続補正１】
【補正対象書類名】明細書
【補正対象項目名】００４１
【補正方法】変更
【補正の内容】
【００４１】
図１ｂに示されるとおり、テーパエッジ１５０は、テーパエッジの頂点で最小厚み（ｃ）を有する。テーパプラテンに関連する本願発明の実施形態においては、テーパ領域で形成されたテーパエッジの最小厚み（ｃ）は、０．１ｍｍから５ｍｍでもよい（例えば、０．２ｍｍから１ｍｍ、又は０．２ｍｍから０．４ｍｍ）。本願発明の特定の実施形態においては、テーパエッジの最小厚み（ｃ）は、０．３ｍｍでもよい。
【手続補正２】
【補正対象書類名】明細書
【補正対象項目名】００５３
【補正方法】変更
【補正の内容】
【００５３】
図４Ａ及び４Ｃに示されるとおり、フリップ機構２３５が、第一の平らな領域２１１（図４Ａ）又は第二の平らな領域２２１（図４Ｂ）で定義される面よりも上に延びることにより、衣料品１１４はフリップ機構２３５によってぴんと張られ、プリントされるための実質的に平らな表面が提供される。
【手続補正３】
【補正対象書類名】図面
【補正対象項目名】図４
【補正方法】変更
【補正の内容】
【図４】
2018526252.tif 000001
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
ごみ貯蔵装置であって、前記装置の上部に設けられる受入チャンバと、前記チャンバに回転可能に装着される回転体とを備え、
前記回転体は、上環と、前記上環から下方に延びる円筒壁と、を備え、
前記回転体は、当該回転体から延びる少なくとも一つの突起を備え、前記少なくとも一つの突起は、ごみ貯蔵カセットに設けられる少なくとも一つの対応する凹部の位置に配置され、前記ごみ貯蔵カセットを前記チャンバ内で支持し、かつ、前記回転体と前記カセットの回転係合を確実にすることを特徴とするごみ貯蔵装置。
【請求項２】
前記回転体は、前記円筒壁の下側部分から内側に突起するフランジを備え、前記少なくとも一つの突起は前記フランジから上方に延びることを特徴とする請求項１に記載のごみ貯蔵装置。
【請求項３】
前記少なくとも一つの突起は、前記円筒壁から径方向に離間していることを特徴とする請求項１または２に記載のごみ貯蔵装置。
【請求項４】
前記少なくとも一つの突起は、前記回転体の円筒壁の内面に設けられることを特徴とする請求項１または２に記載のごみ貯蔵装置。
【請求項５】
前記カセットは、前記装置から分離可能であり、前記回転体に前記カセットを係合させる際、前記少なくとも一つの突起は、前記少なくとも一つの凹部内のガイドとして機能し、前記カセットを支持位置にガイドすることを特徴とする請求項１から４のいずれか一項に記載のごみ貯蔵装置。
【請求項６】
前記回転体に前記カセットを係合させることは、前記受入チャンバの内側で前記カセットを縦方向に移動させることを備え、使用時に、前記少なくとも一つの突起は、前記カセットが前記支持位置に移動するように前記縦方向に移動させる際のガイドとして機能することを特徴とする請求項５に記載のごみ貯蔵装置。
【請求項７】
前記少なくとも一つの突起は、複数の突起を備え、前記少なくとも一つの凹部は、複数の凹部を備えることを特徴とする請求項１から６のいずれか一項に記載のごみ貯蔵装置。
【請求項８】
前記複数の突起の各突起は、前記ごみ貯蔵カセットの各凹部の位置に配置されることを特徴とする請求項７に記載のごみ貯蔵装置。
【請求項９】
前記複数の突起は、前記円筒壁の周りで等距離に離間して等距離配置を規定することを特徴する請求項７または８に記載のごみ貯蔵装置。
【請求項１０】
前記等距離配置から一以上の突起が除外されることを特徴とする請求項９に記載のごみ貯蔵装置。
【請求項１１】
前記回転体の前記複数の突起の少なくとも二つは、前記ごみ貯蔵カセットの共通の凹部の位置に配置されることを特徴とする請求項７に記載のごみ貯蔵装置。
【請求項１２】
前記複数の突起の前記少なくとも二つは、複数の突起対のうちの一対を構成し、前記複数の突起対の各対は、前記回転体の円筒壁の内面の周りに間隔を空けて配置され、前記複数の突起対の各対は、対応する複数の凹部の位置に配置されることを特徴とする請求項１１に記載のごみ貯蔵装置。
【請求項１３】
前記少なくとも一つの突起は、前記円筒壁と実質的に同じ高さであることを特徴とする請求項１から１２のいずれか一項に記載のごみ貯蔵装置。
【請求項１４】
ごみ貯蔵装置の上部に設けられるチャンバに回転可能に装着されるごみ貯蔵カセットであって、前記ごみ貯蔵カセットは、
実質的に管状のコアを規定する内壁と、
外壁と、
前記内壁と前記外壁の間に設けられ、ごみパッケージを生成するためのごみ貯蔵チューブを収容するための貯蔵部と、
前記カセットの外面に設けられる少なくとも一つの凹部と、を備え、
前記少なくとも一つの凹部は、ごみ貯蔵カセット回転体から延びる少なくとも一つの突起の位置に配置され、前記カセットを前記チャンバ内で支持し、前記カセットと前記回転体の回転係合を確実にすることを特徴とするごみ貯蔵カセット。
【請求項１５】
前記少なくとも一つの凹部は、前記カセットの前記外面から径方向外側に延在する突起内のスロットまたはギャップを備えることを特徴とする請求項１４に記載のごみ貯蔵カセット。
【請求項１６】
前記カセットは、前記装置から分離可能であり、前記回転体に前記カセットを係合させる際、前記少なくとも一つの突起は、前記少なくとも一つの凹部内のガイドとして機能し、前記カセットを支持位置にガイドすることを特徴とする請求項１４に記載のごみ貯蔵カセット。
【請求項１７】
前記回転体に前記カセットを係合させることは、受入チャンバの内側で前記カセットを縦方向に移動させることを備え、前記少なくとも一つの突起は、前記カセットが前記支持位置に移動するように前記縦方向に移動させる際のガイドとして機能することを特徴とする請求項１６に記載のごみ貯蔵カセット。
【請求項１８】
前記ごみ貯蔵カセットは、請求項１４から１７のいずれか一項に記載されるカセットであることを特徴とする請求項１から１３のいずれか一項に記載のごみ貯蔵装置。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
ヒト女性対象における卵巣癌腫瘍を治療する方法であって、該方法は抗ミュラー管ホルモンＩＩ型受容体（ＡＭＨＲ２）ポリペプチドを含む免疫原性組成物を該対象に投与することを含み、該ＡＭＨＲ２ポリペプチドは配列番号１の少なくとも８個の連続するアミノ酸を含むアミノ酸配列を有する、方法。
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
攪拌しながら、触媒の非存在下、水性溶媒中で、苛性剤と、式ＲＣＸＹＣＺＱＴを有するハロフルオロアルカンを接触させ、式ＲＣＸ＝ＣＺＱを有するフルオロオレフィンを含む生成物を製造する工程を含み、式中、Ｒは過フッ素化アルキル基であり、Ｘ、ＺおよびＱは独立してＨまたはハロゲンであり、ＹおよびＴの一方はＨであり、他方はＣｌ、ＢｒまたはＩである、脱ハロゲン化水素プロセス。
【請求項２】
温度が約２０℃から約１００℃の範囲である、請求項１に記載の脱ハロゲン化水素プロセス。
【請求項３】
約３０℃から約９０℃の範囲の温度で実施されるプロセスである、請求項２に記載の脱ハロゲン化水素プロセス。
【請求項４】
前記苛性剤がＮａＯＨ、ＫＯＨ、ＬｉＯＨ、ＣｓＯＨ、Ｃａ（ＯＨ）2、Ｚｎ（ＯＨ）2、Ｎａ2ＣＯ3、Ｋ2ＣＯ3、Ｋ3ＰＯ4、Ｎａ3ＰＯ4、ＫＦまたはＣｓＦである、請求項１に記載の脱ハロゲン化水素プロセス。
【請求項５】
前記ハロフルオロアルカンに対する前記苛性剤のモル比が約０．０１から約５の範囲である、請求項１に記載の脱ハロゲン化水素プロセス。
【請求項６】
前記モル比が約０．０２から約４である、請求項５に記載の脱ハロゲン化水素プロセス。
【請求項７】
前記モル比が約０．０４から約２である、請求項５に記載の脱ハロゲン化水素プロセス。
【請求項８】
前記モル比が約０．０５から約１．５である、請求項５に記載の脱ハロゲン化水素プロセス。
【請求項９】
前記水性溶媒が水である、請求項１に記載の脱ハロゲン化水素プロセス。
【請求項１０】
前記ハロフルオロアルカンがＣＦ3ＣＨＣｌＣＨ2Ｃｌであり、前記フルオロアルケンがＣＦ3ＣＣｌ＝ＣＨ2である、請求項１に記載の脱ハロゲン化水素プロセス。
【請求項１１】
前記ハロフルオロアルカンがＣＦ3ＣＨ2ＣＨＣｌ2であり、前記フルオロアルケンがＣＦ3ＣＨ＝ＣＨＣｌである、請求項１に記載の脱ハロゲン化水素プロセス。
【請求項１２】
前記ハロフルオロアルカンがＣＦ3ＣＣｌ2ＣＨ3であり、前記フルオロアルケンがＣＦ3ＣＣｌ＝ＣＨ2である、請求項１に記載の脱ハロゲン化水素プロセス。
【請求項１３】
前記ハロフルオロアルカンがＣＦ3ＣＨＦＣＨ2Ｃｌであり、前記フルオロアルケンがＣＦ3ＣＦ＝ＣＨ2である、請求項１に記載の脱ハロゲン化水素プロセス。
【請求項１４】
前記ハロフルオロアルカンがＣＦ3ＣＣｌＦＣＨ3であり、前記フルオロアルケンがＣＦ3ＣＦ＝ＣＨ2である、請求項１に記載の脱ハロゲン化水素プロセス。
【請求項１５】
前記ＹおよびＴの一方が水素であり、他方が塩素である、請求項１に記載の脱ハロゲン化水素プロセス。
【請求項１６】
アミンがさらに存在する、請求項１に記載の脱ハロゲン化水素プロセス。
【請求項１７】
前記アミンは、式ＮＲ１Ｒ２Ｒ３（式中、Ｒ１、Ｒ２およびＲ３は、独立して水素、アルキル基、アリール、アリールアルキル基、ヘテロ環、ヘテロ環式アルキルである）または、式Ｎ（Ｒ４）（Ｒ５）Ｎ（Ｒ６）（Ｒ７）（式中、Ｒ４、Ｒ５、Ｒ６およびＲ７は、独立して水素、アルキル基、アリール、アリールアルキル基、ヘテロ環、またはヘテロ環式アルキルである）を有する、請求項１６に記載の脱ハロゲン化水素プロセス。
【請求項１８】
約０℃から約１００℃の範囲の温度で、水性溶媒中で実施される、請求項１６に記載の脱ハロゲン化水素プロセス。
【請求項１９】
前記ハロフルオロアルカンに対する前記アミンのモル比が約０．０２から約３の範囲である、請求項１６に記載の脱ハロゲン化水素反応。
【請求項２０】
前記苛性剤に対する前記アミンのモル比が約０．０２から約３の範囲である、請求項１６に記載の脱ハロゲン化水素反応。
【請求項２１】
前記ハロフルオロアルカンに対する前記苛性剤のモル比が約０．０１から約５の範囲である、請求項１６に記載の脱ハロゲン化水素反応。
【請求項２２】
前記ハロフルオロアルカンに対する前記アミンのモル比が約０．０２から約３の範囲であり、前記苛性剤に対する前記アミンのモル比が約０．０２から約３の範囲であり、および、前記ハロフルオロアルカンに対する前記苛性剤のモル比が約０．０１から約５の範囲である、請求項１６に記載の脱ハロゲン化水素反応。
【請求項２３】
前記苛性剤がＮａＯＨ、ＫＯＨ、ＬｉＯＨ、ＣｓＯＨ、Ｃａ（ＯＨ）2、Ｚｎ（ＯＨ）2、Ｎａ2ＣＯ3、Ｋ2ＣＯ3、Ｋ3ＰＯ4、またはＮａ3ＰＯ4である、請求項１６に記載の脱ハロゲン化水素プロセス。
【請求項２４】
前記アミンがトリエチルアミンである、請求項１６に記載の脱ハロゲン化水素プロセス。
【請求項２５】
約−１０ｐｓｉｇから約１５０ｐｓｉｇの圧力で実施される、請求項１または請求項１６に記載の脱ハロゲン化水素プロセス。
【請求項２６】
前記苛性剤のモル比が約０．０１から約５の範囲である、請求項１６に記載の脱ハロゲン化水素プロセス。
【請求項２７】
前記水性溶媒が水である、請求項１６に記載の脱ハロゲン化水素プロセス。
【請求項２８】
前記ハロフルオロアルカンがＣＦ3ＣＨＣｌＣＨ2Ｃｌであり、前記フルオロオレフィンがＣＦ3ＣＣｌ＝ＣＨ2である、請求項１６に記載の脱ハロゲン化水素プロセス。
【請求項２９】
前記ハロフルオロアルカンがＣＦ3ＣＨ2ＣＨＣｌ2であり、前記フルオロオレフィンがＣＦ3ＣＨ＝ＣＨＣｌである、請求項１６に記載の脱ハロゲン化水素プロセス。
【請求項３０】
前記ハロフルオロアルカンがＣＦ3ＣＣｌ2ＣＨ3であり、前記フルオロオレフィンがＣＦ3ＣＣｌ＝ＣＨ2である、請求項１６に記載の脱ハロゲン化水素プロセス。
【請求項３１】
前記ハロフルオロアルカンがＣＦ3ＣＨＦＣＨ2Ｃｌであり、前記フルオロオレフィンがＣＦ3ＣＦ＝ＣＨ2である、請求項１７に記載の脱ハロゲン化水素プロセス。
【請求項３２】
前記ハロフルオロアルカンがＣＦ3ＣＣｌＦＣＨ3であり、前記フルオロオレフィンがＣＦ3ＣＦ＝ＣＨ2である、請求項１６に記載の脱ハロゲン化水素プロセス。
【請求項３３】
約０．１から約５０馬力／１０００ガロン液体の範囲の混合力で攪拌が行われる、請求項１または１６に記載の脱ハロゲン化水素プロセス。
【請求項３４】
約０．５から約４０馬力／１０００ガロン液体の範囲の混合力で攪拌が行われる、請求項３３に記載の脱ハロゲン化水素プロセス。
【請求項３５】
約１から約３５馬力／１０００ガロン液体の範囲の混合力で攪拌が行われる、請求項３４に記載の脱ハロゲン化水素反応。
【請求項３６】
約０ｐｓｉｇから約１００ｐｓｉｇの範囲の圧力で実施される、請求項１または請求項１６に記載の脱塩化水素反応。
【請求項３７】
約５ｐｓｉｇから約１００ｐｓｉｇの範囲の圧力で実施される、請求項１または請求項１６に記載の脱塩化水素反応。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
式（１７ｄ）
【化１】
2018526340.tif 000001
の化合物またはその塩の調製方法であって、式（１４ｄ）
【化２】
2018526340.tif 000002
の化合物を式（ｄ１）
【化３】
2018526340.tif 000003
のモノマー化合物と反応させることを含み、式中、Ｘ３は−Ｃｌであり、Ｐ３はＨまたはアミン保護基であり、Ｒ１００は（Ｃ１−Ｃ３）アルコキシである、前記方法。
【請求項２】
アルコール活性化剤およびアゾジカルボキシレートの存在下において前記式（１４ｄ）の化合物を式（ｄ１）のモノマーと反応させる、請求項１に記載の方法。
【請求項３】
前記アルコール活性化剤がトリフェニルホスフィンである、請求項２に記載の方法。
【請求項４】
前記アゾジカルボキシレートが、ジエチルアゾジカルボキシレート（ＤＥＡＤ）、ジイソプロピルアゾジカルボキシレート（ＤＩＡＤ）、１，１'−（アゾジカルボニル）ジピペリジン（ＡＤＤＰ）、及びジｔｅｒｔ−ブチルアゾジカルボキシレート（ＤＴＡＤ）からなる群から選択される、請求項２または３に記載の方法。
【請求項５】
前記式（１４ｄ）の化合物を前記式（ｄ１）のモノマー化合物（式中、Ｐ３はＨである）と反応させて、式（１７ｄ’）
【化４】
2018526340.tif 000004
の化合物を形成させる、請求項１〜４のいずれか一項に記載の方法。
【請求項６】
Ｐ３がアミン保護基であり、
前記式（１７ｄ）の化合物をアミン脱保護試薬と反応させて式（１７ｄ’）
【化５】
2018526340.tif 000005
の化合物を形成させる工程を更に含む、請求項１〜４のいずれか一項に記載の方法。
【請求項７】
式（１８ｄ）
【化６】
2018526340.tif 000006
の化合物または製薬上許容できるその塩の調製方法であって、式（１７ｄ）
【化７】
2018526340.tif 000007
の化合物を式（ａ１）
【化８】
2018526340.tif 000008
のモノマーと反応させることを含み、式中、Ｘ３は−Ｃｌであり、Ｐ３はＨまたはアミン保護基であり、Ｒ１００は（Ｃ１−Ｃ３）アルコキシである、前記方法。
【請求項８】
塩基の存在下において前記式（１７ｄ）の化合物を式（ａ１）のモノマー化合物と反応させる、請求項７に記載の方法。
【請求項９】
前記塩基が、炭酸ナトリウム、炭酸カリウム、炭酸セシウム、水素化ナトリウム、または水素化カリウムである、請求項８に記載の方法。
【請求項１０】
式（１８ｄ）
【化９】
2018526340.tif 000009
の化合物または製薬上許容できるその塩の調製方法であって、
（１）式（１４ｄ）
【化１０】
2018526340.tif 000010
の化合物またはその塩を式（ａ１）
【化１１】
2018526340.tif 000011
のモノマー化合物と反応させて式（１６ｄ）
【化１２】
2018526340.tif 000012
の化合物またはその塩を形成させる工程と、
（２）前記式（１６ｄ）の化合物を式（ｄ１）
【化１３】
2018526340.tif 000013
の還元モノマーと反応させて式（１８ｄ）の化合物または製薬上許容できるその塩を形成させる工程と、を含み、式中、Ｘ３は−Ｃｌであり、Ｐ１はアルコール保護基であり、Ｐ３はＨまたはアミン保護基であり、Ｒ１００は（Ｃ１−Ｃ３）アルコキシである、前記方法。
【請求項１１】
式（１８ｄ）
【化１４】
2018526340.tif 000014
の化合物または製薬上許容できるその塩の調製方法であって、
（１）式（１４ｄ）
【化１５】
2018526340.tif 000015
の化合物またはその塩を式（ｄ１）
【化１６】
2018526340.tif 000016
の還元モノマー化合物と反応させて、式（１７ｄ）
【化１７】
2018526340.tif 000017
の化合物またはその塩を形成させる工程と、
（２）前記式（１７ｄ）の化合物を式（ａ１）
【化１８】
2018526340.tif 000018
のモノマーと反応させて式（１８ｄ）の化合物または製薬上許容できるその塩を形成させる工程と、
を含み、式中、Ｘ３は−Ｃｌであり、Ｐ１はアルコール保護基であり、Ｐ３はＨまたはアミン保護基であり、Ｒ１００は（Ｃ１−Ｃ３）アルコキシである、前記方法。
【請求項１２】
前記式（１７ｄ）の化合物を式（ａ１）のモノマー（式中、Ｐ３はＨである）と反応させて式（Ｉｄ’）
【化１９】
2018526340.tif 000019
の化合物を形成させる、請求項７、８、９または１１に記載の方法。
【請求項１３】
Ｐ３がアミン保護基であり、
前記式（１８ａ）の化合物をアミン脱保護試薬と更に反応させて、式（Ｉｄ’）
【化２０】
2018526340.tif 000020
の化合物を形成させる、請求項７、８、９または１１に記載の方法。
【請求項１４】
式（Ｉｄ’）
【化２１】
2018526340.tif 000021
の化合物または製薬上許容できるその塩の調製方法であって、
（１）式（１４ｄ）
【化２２】
2018526340.tif 000022
の化合物またはその塩を式（ａ１）
【化２３】
2018526340.tif 000023
のモノマー化合物と反応させて式（１６ｄ）
【化２４】
2018526340.tif 000024
の化合物またはその塩を形成させる工程と、
（２）前記式（１６ｄ）の化合物をイミン還元剤と反応させて式（１７ｄ’）
【化２５】
2018526340.tif 000025
の化合物またはその塩を形成させる工程と、
（３）前記式（１７ｄ’）の化合物を式（ａ１）
【化２６】
2018526340.tif 000026
のモノマーと反応させて前記式（Ｉｄ’）の化合物を形成させる工程と、を含み、式中、Ｘ３は−Ｃｌであり、Ｐ１はアルコール保護基であり、Ｒ１００は（Ｃ１−Ｃ３）アルコキシである、前記方法。
【請求項１５】
前記式（１４ｄ）の化合物またはその塩を、
（１）式（１ｄ）
【化２７】
2018526340.tif 000027
の化合物をアルコール保護試薬と反応させて式（２ｄ）
【化２８】
2018526340.tif 000028
の化合物を形成させる工程と、
（２）塩素化試薬を前記式（２ｄ）の化合物と反応させて、式（１３ｄ）
【化２９】
2018526340.tif 000029
の化合物またはその塩を形成させる工程と、
（３）前記式（１３ｄ）の化合物をアルコール脱保護試薬と反応させて、前記式（１４ｄ）の化合物またはその塩を形成させる工程と、
を含む方法により調製する、請求項１〜１４のいずれか一項に記載の方法。
【請求項１６】
Ｒ１００がメトキシである、請求項１〜１５のいずれか一項に記載の方法。
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
ゼオライトＳＳＺ−９８を調製する方法であって、
（ａ）（１）少なくとも１つの酸化ケイ素源と、
（２）少なくとも１つの酸化アルミニウム源と、
（３）周期表の第１族および第２族から選択される金属（Ｍ）の少なくとも１つの供給源と、
（４）１，３−ジシクロヘキシルイミダゾリウムカチオン（Ｑ）と、
（５）水酸化物イオンと、
（６）水と
を含む反応混合物を調製すること、および
（ｂ）ゼオライトＳＳＺ−９８の結晶を形成するのに十分な結晶化条件に、この反応混合物を供することを含む、上記方法
【請求項２】
前記ゼオライトが、モル比で以下の組成を含む反応混合物から調製される、請求項１に記載の方法。
【表１】
2018526315.tif 000001
【請求項３】
前記ゼオライトが、モル比で以下の組成を含む反応混合物から調製される、請求項１に記載の方法。
【表２】
2018526315.tif 000002
【請求項４】
その細孔構造内に１，３−ジシクロヘキシルイミダゾリウムカチオンを含む、ＳＳＺ−９８ゼオライト。
【請求項５】
１０〜５０のＳｉＯ２／Ａｌ２Ｏ３モル比を有する、請求項４に記載のＳＳＺ−９８ゼオライト。
【請求項６】
１０〜３５のＳｉＯ２／Ａｌ２Ｏ３モル比を有する、請求項４に記載のＳＳＺ−９８ゼオライト。
【請求項７】
合成されたままの形態で、以下の線を含むＸ線回折パターンを有する、請求項４に記載のＳＳＺ−９８ゼオライト。
【表３】
2018526315.tif 000003
【請求項８】
前記少なくとも１つの酸化ケイ素源および前記少なくとも１つの酸化アルミニウム源がＹゼオライトを含む、請求項１に記載の方法。
【手続補正２】
【補正対象書類名】明細書
【補正対象項目名】００５０
【補正方法】変更
【補正の内容】
【００５０】
本出願中に引用される全ての文献は、その開示が本明細書の記載と不整合でない限度において、全体として本明細書に参照のため組み入れられる。
本発明に包含され得る諸態様は、以下のとおり要約される。
［態様１］
ゼオライトＳＳＺ−９８を調製する方法であって、
（ａ）（１）少なくとも１つの酸化ケイ素源と、
（２）少なくとも１つの酸化アルミニウム源と、
（３）周期表の第１族および第２族から選択される金属（Ｍ）の少なくとも１つの供給源と、
（４）１，３−ジシクロヘキシルイミダゾリウムカチオン（Ｑ）と、
（５）水酸化物イオンと、
（６）水と
を含む反応混合物を調製すること、および
（ｂ）ゼオライトＳＳＺ−９８の結晶を形成するのに十分な結晶化条件に、この反応混合物を供することを含む、上記方法
［態様２］
前記ゼオライトが、モル比で以下の組成を含む反応混合物から調製される、上記態様１に記載の方法。
［表１］
2018526315.tif 000004
［態様３］
前記ゼオライトが、モル比で以下の組成を含む反応混合物から調製される、上記態様１に記載の方法。
［表２］
2018526315.tif 000005
［態様４］
前記ゼオライトが、合成されたままの無水状態で、モル比で以下の組成を有する、上記態様１に記載の方法。
［表３］
2018526315.tif 000006
［態様５］
前記ゼオライトが、合成されたままの無水状態で、モル比で以下の組成を有する、上記態様１に記載の方法。
［表４］
2018526315.tif 000007
［態様６］
前記ゼオライトが、合成されたままの形態で、以下の線を含むＸ線回折パターンを有する、上記態様１に記載の方法。
［表５］
2018526315.tif 000008
［態様７］
その細孔構造内に１，３−ジシクロヘキシルイミダゾリウムカチオンを含む、ＳＳＺ−９８ゼオライト。
［態様８］
１０〜５０のＳｉＯ２／Ａｌ２Ｏ３モル比を有する、上記態様７に記載のＳＳＺ−９８ゼオライト。
［態様９］
１０〜３５のＳｉＯ２／Ａｌ２Ｏ３モル比を有する、上記態様７に記載のＳＳＺ−９８ゼオライト。
［態様１０］
合成されたままの形態で、以下の線を含むＸ線回折パターンを有する、上記態様７に記載のＳＳＺ−９８ゼオライト。
［表６］
2018526315.tif 000009
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
１−（４−（２−（（１−（３，４−ジフルオロフェニル）−１Ｈ−ピラゾール−３−イル）メトキシ）エチル）ピペラジン−１−イル）エタノンの結晶性塩であって、
前記塩が、ヒドロクロリド、マレエート、フマレート、マロネート、サクシネート、オキサレート、および／またはヒドロブロミドから選択される、結晶性塩。
【請求項２】
前記結晶性塩が、１−（４−（２−（（１−（３，４−ジフルオロフェニル）−１Ｈ−ピラゾール−３−イル）メトキシ）エチル）ピペラジン−１−イル）エタノンのヒドロクロリド塩である、請求項１に記載の結晶性塩。
【請求項３】
前記結晶性塩が、１−（４−（２−（（１−（３，４−ジフルオロフェニル）−１Ｈ−ピラゾール−３−イル）メトキシ）エチル）ピペラジン−１−イル）エタノンのマレエート塩である、請求項１に記載の結晶性塩。
【請求項４】
請求項１から３のいずれか一項に記載の結晶性塩を少なくとも含んでなる、医薬組成物。
【請求項５】
シグマ受容体媒介性疾患または状態を治療および／または予防するための、請求項４に記載の医薬組成物。
【請求項６】
下痢；リポタンパク質障害（ｌｉｐｏｐｒｏｔｅｉｎ  ｄｉｓｏｒｄｅｒ）；片頭痛；肥満症；関節炎；高血圧；不整脈；潰瘍；学習障害、記憶障害および注意欠陥障害；認知障害；神経変性病；脱髄疾患；コカイン、アンフェタミン、エタノールおよびニコチンを含む薬物および化学物質中毒；遅発性ジスキネジア；虚血性発作；てんかん；脳卒中；ストレス；癌；精神病状態、特に、鬱病、不安および統合失調症；炎症；または自己免疫疾患からなる群から選択される疾患を治療および／または予防するための、請求項４に記載の医薬組成物。
【請求項７】
疼痛、好ましくは神経因性疼痛、炎症性疼痛、または異痛および／もしくは痛覚過敏に関わる他の疼痛状態を治療および／または予防するための、請求項４に記載の医薬組成物。
【請求項８】
疼痛、好ましくは神経因性疼痛、炎症性疼痛、または異痛および／もしくは痛覚過敏に関わる他の疼痛状態を治療および／または予防するための請求項４に記載の医薬組成物であって、当該医薬組成物が含んでなる前記結晶性塩が、１−（４−（２−（（１−（３，４−ジフルオロフェニル）−１Ｈ−ピラゾール−３−イル）メトキシ）エチル）ピペラジン−１−イル）エタノンのヒドロクロリド塩である、医薬組成物。
【請求項９】
疼痛、好ましくは神経因性疼痛、炎症性疼痛、または異痛および／もしくは痛覚過敏に関わる他の疼痛状態を治療および／または予防するための請求項４に記載の医薬組成物であって、当該医薬組成物が含んでなる前記結晶性塩が、１−（４−（２−（（１−（３，４−ジフルオロフェニル）−１Ｈ−ピラゾール−３−イル）メトキシ）エチル）ピペラジン−１−イル）エタノンのマレエート塩である、医薬組成物。
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
ａ）２７重量％〜２９重量％の非ステロイド性抗炎症薬（ＮＳＡＩＤ）、
ｂ）３４重量％〜４０重量％の室温すなわち２０℃で固体の飽和Ｃ１０〜Ｃ１８トリグリセリドの混合物、
ｃ）２２重量％〜２８重量％の室温すなわち２０℃で液体のモノグリセリドおよびジグリセリドを含む１種以上の部分的に加水分解された脂肪、および
ｄ）７重量％〜１３重量％の液体グリコールポリマーを含む安定化剤
を含む固溶体医薬組成物であり、
前記固溶体医薬組成物は、正常なヒトの体温すなわち３７℃で液体であり、かつ室温すなわち２０℃で固体である、固溶体医薬組成物。
【請求項２】
前記ＮＳＡＩＤはイブプロフェンである、請求項１に記載の固溶体医薬組成物。
【請求項３】
３６重量％〜３８重量％の（ｂ）を含む、前記請求項のいずれか一項に記載の固溶体医薬組成物。
【請求項４】
２３重量％〜２５重量％の（ｃ）を含む、前記請求項のいずれか一項に記載の固溶体医薬組成物。
【請求項５】
９重量％〜１１重量％の（ｄ）を含む、前記請求項のいずれか一項に記載の固溶体医薬組成物。
【請求項６】
（ｂ）はグリセロ脂質を含む、前記請求項のいずれか一項に記載の固溶体医薬組成物。
【請求項７】
（ｃ）は、モノリノール酸グリセリンを含む、前記請求項のいずれか一項に記載の固溶体医薬組成物。
【請求項８】
（ｄ）は液体ポリエチレングリコールポリマーまたは液体ポリプロピレングリコールポリマーを含む、前記請求項のいずれか一項に記載の固溶体医薬組成物。
【請求項９】
前記ポリエチレングリコールポリマーは、ＰＥＧ１００、ＰＥＧ２００、ＰＥＧ３００、ＰＥＧ４００、ＰＥＧ５００、ＰＥＧ６００、ＰＥＧ７００、ＰＥＧ８００、ＰＥＧ９００、ＰＥＧ１０００またはそれらの任意の組み合わせを含む、請求項８に記載の固溶体医薬組成物。
【請求項１０】
前記飽和Ｃ１０〜Ｃ１８トリグリセリドの混合物は、主に４１℃〜４５℃の融点を有するＣ１０〜Ｃ１８のモノグリセリド、ジグリセリドおよびトリグリセリドからなる混合物を含む、前記請求項のいずれか一項に記載の固溶体医薬組成物。
【請求項１１】
前記１種以上の部分的に加水分解された脂肪は、コーン油から誘導されるＣ１６〜Ｃ１８のモノグリセリド、ジグリセリドおよびトリグリセリドからなる混合物を含む、前記請求項のいずれか一項に記載の固溶体医薬組成物。
【請求項１２】
ａ）２７重量％〜２９重量％のイブプロフェン、
ｂ）３４重量％〜４０重量％の室温すなわち２０℃で固体の飽和Ｃ１０〜Ｃ１８トリグリセリドの混合物、
ｃ）ｃ）２２重量％〜２８重量％の室温すなわち２０℃で液体のモノグリセリドおよびジグリセリドを含む１種以上の部分的に加水分解された脂肪、および
ｄ）７重量％〜１３重量％のポリオキシエチレンポリマーを含む安定化剤、
を含む固溶体医薬組成物であって、
前記固溶体医薬組成物は、正常なヒトの体温すなわち３７℃で液体であり、かつ室温すなわち２０℃で固体である、前記請求項のいずれか一項に記載の固溶体医薬組成物。
【請求項１３】
前記飽和Ｃ１０〜Ｃ１８トリグリセリドの混合物は、主に４１℃〜４５℃の融点を有するＣ１０〜Ｃ１８のモノグリセリド、ジグリセリドおよびトリグリセリドからなる混合物を含む、請求項１２に記載の固溶体医薬組成物。
【請求項１４】
前記１種以上の部分的に加水分解された脂肪は、コーン油から誘導されるＣ１６〜Ｃ１８のモノグリセリド、ジグリセリドおよびトリグリセリドからなる混合物を含む、請求項１２または１３に記載の固溶体医薬組成物。
【請求項１５】
請求項１〜１４のいずれか一項に記載の固溶体医薬組成物の経口剤形。
【請求項１６】
炎症、疼痛または慢性炎症を治療するのに使用される請求項１〜１４のいずれか１項に記載の固溶体医薬組成物。
【請求項１７】
炎症、疼痛または慢性炎症を治療するのに使用される請求項１５に記載の経口剤形。
【手続補正書】
【提出日】令和1年6月3日(2019.6.3)
【手続補正１】
【補正対象書類名】明細書
【補正対象項目名】００１３
【補正方法】変更
【補正の内容】
【００１３】
本開示の第３の態様は、積層体を冷間成形する方法であって、湾曲した第１の基板、実質的に平面の第２の基板、その第１と第２の基板の間の少なくとも１つの高分子中間層および少なくとも１つの光応答性材料を提供する工程；および第１と第２の基板の軟化温度より低い温度で第１の基板、第２の基板、高分子中間層および光応答性材料を一緒に積層して、複雑に湾曲した積層体を提供する工程を有してなる方法に関する。いくつかの実施の形態において、積層体を冷間成形する方法は、湾曲した第１の基板、実質的に平面の第２の基板を提供する工程；第１と第２の基板の軟化温度より低い温度で第２の基板を、湾曲した第１の基板に合わせて形成して、２つの複雑に湾曲した基板を提供する工程；および第１と第２の基板を高分子中間層および光応答性材料に積層する工程を有してなる。ある場合には、積層体を冷間成形する方法は、一方または両方が光応答性材料を含む、湾曲した第１の基板および実質的に平面の第２の基板を提供する工程；および第１と第２の基板の軟化温度より低い温度で第１の基板および第２の基板を高分子中間層に積層して、複雑に湾曲した積層体を提供する工程を有してなる。
【手続補正２】
【補正対象書類名】明細書
【補正対象項目名】００２０
【補正方法】変更
【補正の内容】
【００２０】
ここに用いたように、「層」は、実質的に均一な厚さを有する領域を含む材料部分を称する。層は、下にあるまたは上に重なる構造の全体に亘って延在しても、下にあるまたは上に重なる構造の全体に及ばなくてもよい。さらに、層は、均質または不均質隣接構造の領域であって、その隣接構造の厚さ未満の厚さを有する領域であってもよい。例えば、層は、その隣接構造の上面と底面の間の水平面の任意の対の間、またはそれらの面に、位置していてもよい。層は、水平に、垂直に、および／または漸減面に沿って、延在してもよい。基板は、層であってもよく、その中に１つ以上の層を含んでもよく、またはその上、その上方、および／またはその下に１つ以上の層を有してもよい。
【手続補正３】
【補正対象書類名】明細書
【補正対象項目名】００５０
【補正方法】変更
【補正の内容】
【００５０】
材料に適したさらなる例示のガラス組成物は、６０〜７０モル％のＳｉＯ2、６〜１４モル％のＡｌ2Ｏ3、０〜１５モル％のＢ2Ｏ3、０〜１５モル％のＬｉ2Ｏ、０〜２０モル％のＮａ2Ｏ、０〜１０モル％のＫ2Ｏ、０〜８モル％のＭｇＯ、０〜１０モル％のＣａＯ、０〜５モル％のＺｒＯ2、０〜１モル％のＳｎＯ2、０〜１モル％のＣｅＯ2、５０ｐｐｍ未満のＡｓ2Ｏ3、および５０ｐｐｍ未満のＳｂ2Ｏ3を含み、１２モル％≦（Ｌｉ2Ｏ＋Ｎａ2Ｏ＋Ｋ2Ｏ）≦２０モル％、および０モル％≦（ＭｇＯ＋ＣａＯ）≦１０モル％。
【手続補正４】
【補正対象書類名】明細書
【補正対象項目名】００５５
【補正方法】変更
【補正の内容】
【００５５】
いくつかの実施の形態において、材料は、フュージョン法により形成しても、圧延法、薄片圧延法(thin-rolling)、スロットドロー法またはフロート法などの他の公知の方法によって形成してもよいガラスセラミック材料を含むことがある。
【手続補正５】
【補正対象書類名】明細書
【補正対象項目名】００５６
【補正方法】変更
【補正の内容】
【００５６】
材料の様々な実施の形態に使用してよい例示のガラスセラミックは、それらを形成できるプロセスによって特徴付けられるであろう。そのようなガラスセラミックは、フロート法、フュージョン法、スロットドロー法、薄片圧延法、またはそれらの組合せによって形成されることがある。あるガラスセラミックは、フロート法、スロットドロー法、またはフュージョンドロー法などの高処理量形成法の使用を不可能にする液相粘度を有する傾向にある。例えば、いくつかの公知のガラスセラミックは、約１０ｋＰの液相粘度を有する前駆体ガラスから形成され、この粘度は、一般に約１００ｋＰ超または約２００ｋＰ超の液相粘度が必要とされるフュージョンドロー法に適していない。低処理量形成法（例えば、薄片圧延法）により形成されるガラスセラミックは、向上した不透明性、様々な程度の半透明性、および／または表面の艶を示すであろう。高処理量法（例えば、フロート法、スロットドロー法、またはフュージョンドロー法）により形成されるガラスセラミックは、非常に薄い層を達成できる。フュージョンドロー法により形成されるガラスセラミックは、無垢な表面および薄さ（例えば、約２ｍｍ以下）を達成するであろう。適切なガラスセラミックの例としては、Ｌｉ2Ｏ・Ａｌ2Ｏ3・ＳｉＯ2系（すなわち、ＬＡＳ系）ガラスセラミック、ＭｇＯ・Ａｌ2Ｏ3・ＳｉＯ2系（すなわち、ＭＡＳ系）ガラスセラミック、ムライト、スピネル、α−石英、β−石英固溶体、葉長石、二ケイ酸リチウム、β−スポジュメン、霞石、およびアルミナのいずれか１つ以上の結晶相を含むガラスセラミック、並びにそれらの組合せが挙げられるであろう。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
患者における医学的病態を治療する組成物であって、前記組成物が治療有効量の（ｉ）アカンプロセートおよびその薬学的に許容可能な塩から選択される第１の治療剤と、ならびに（ｉｉ）Ｄ−サイクロセリン、Ｄ−サイクロセリンの塩、Ｄ−サイクロセリンのエステル、アルキル化Ｄ−サイクロセリン、またはＤ−サイクロセリンの前駆体から選択される第２の治療剤を含む、組成物。
【請求項２】
前記第２の治療剤がＤ−サイクロセリンである、請求項１に記載の組成物。
【請求項３】
前記第２の治療剤がＤ−サイクロセリンのナトリウム塩、カリウム塩、カルシウム塩、マグネシウム塩、亜鉛塩、およびアンモニウム塩からなる群から選択されるＤ−サイクロセリンの塩である、請求項１に記載の組成物。
【請求項４】
前記第２の治療剤が、１〜２０の炭素原子を備えたエステル基を有するＤ−サイクロセリンのエステルであるか、あるいは
前記第２の治療剤が、１〜２０の炭素原子を備えたアルキル基を有するアルキル化Ｄ−サイクロセリンである、
請求項１に記載の組成物。
【請求項５】
前記第２の治療剤がＤ−サイクロセリンの前駆体である、請求項１に記載の組成物。
【請求項６】
前記医薬組成物が少なくとも１週間の間患者へ投与される、請求項１〜５のいずれか一項に記載の組成物。
【請求項７】
前記医薬組成物が毎日少なくとも１回患者へ投与される、請求項１〜６のいずれか一項に記載の組成物。
【請求項８】
前記医薬組成物が、経口、静脈内、経粘膜、経肺、経皮、眼、頬腔、舌下、腹腔内、髄腔内、および筋肉内の経路からなる群から選択される経路によって投与されるように適用される、請求項１〜７のいずれか一項に記載の組成物。
【請求項９】
前記第１の治療剤が１００〜２５００ｍｇのアカンプロセートカルシウムに等価な用量である、請求項１〜８のいずれか一項に記載の組成物。
【請求項１０】
前記第２の治療剤が１０５〜５００ｍｇのＤ−サイクロセリンに等価な用量である、請求項１〜９のいずれか一項に記載の組成物。
【請求項１１】
前記医学的病態が加齢関連認知機能不全、軽度認知機能不全（ＭＣＩ）、認知症、アルツハイマー病（ＡＤ）、ＡＤの前駆状態、外傷後ストレス障害（ＰＴＳＤ）、統合失調症、双極性障害、筋萎縮性側索硬化症（ＡＬＳ）、癌療法関連認知機能不全、精神遅滞、パーキンソン病（ＰＤ）、自閉症、強迫神経性行動、物質中毒、アルコール依存症、耳鳴り、睡眠時無呼吸、パーキンソン病におけるレボドパ誘導性運動障害、ハンチントン舞踏病、皮質拡延性抑制、片頭痛、不安、遅発性ジスキネジア、痙性、多発性硬化症、疼痛、過食症、
Ｄｉａｇｎｏｓｔｉｃ  ａｎｄ  Ｓｔａｔｉｓｔｉｃａｌ  Ｍａｎｕａｌ  ｏｆ  Ｍｅｎｔａｌ  Ｄｉｓｏｒｄｅｒｓ  ＩＶ中で更に参照されるような、自閉症スペクトラム障害、特定不能の広汎性発達障害、特発性自閉症、脆弱Ｘ症候群、アスペルガー症候群、Ｒｈｅｔｔ症候群、もしくは、小児期崩壊性障害、
グルタミン酸塩−ＧＡＢＡの不均衡として特徴づけられる神経伝達障害もしくは認知障害、破壊もしくは異常調節されたＥＲＫシグナル経路により特徴づけられる障害、または脳発達、学習、記憶もしくは認知力の異常をもたらすＲＡＳ病である、請求項１〜１０のいずれか一項に記載の組成物。
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
光増感剤；及び
１つ以上の透過性増強剤を含む透過性増強組成物であって、該透過性増強組成物が該光増感剤についての眼の領域の透過性を増加することを示す親水性−親油性バランス（ＨＬＢ）値を有する、透過性増強組成物
を含む、眼処置用の処方物。
【請求項２】
透過性増強組成物が、複数の透過性増強剤を含み、透過性増強組成物についてのＨＬＢ値が、透過性増強組成物中の各透過性増強剤の比率と、それぞれの透過性増強剤についてのＨＬＢ値とを乗じた積の和に等しい、請求項１に記載の処方物。
【請求項３】
鉄、銅、マンガン、クロム、バナジウム、アルミニウム、コバルト、水銀、カドミウム、ニッケル、ヒ素、２，３−ブタンジオン及び葉酸からなる群より選択される少なくとも１つの添加剤を更に含む、請求項１に記載の処方物。
【請求項４】
少なくとも１つの添加剤が、鉄（ＩＩ）を含む、請求項３に記載の処方物。
【請求項５】
光増感剤が、リボフラビンを含み、そして、透過性増強組成物が、約１２．６〜約１４．６の間のＨＬＢ値を有する、請求項１に記載の処方物。
【請求項６】
光増感剤；及び
該光増感剤についての角膜上皮の透過性を増加する親水性及び親油性バランスを有する分子を含む非イオン性界面活性剤
を含む、角膜処置用の処方物。
【請求項７】
光増感剤が、リボフラビンを含み、そして、非イオン性界面活性剤が、約１２．６〜約１４．６の間の親水性−親油性バランス（ＨＬＢ）値を有する、請求項６に記載の処方物。
【請求項８】
非イオン性界面活性剤が、ポリオキシエチレン（９）ラウリルエーテルを含む、請求項７に記載の処方物。
【請求項９】
鉄、銅、マンガン、クロム、バナジウム、アルミニウム、コバルト、水銀、カドミウム、ニッケル、ヒ素、２，３−ブタンジオン及び葉酸からなる群より選択される少なくとも１つの添加剤を更に含む、請求項６に記載の処方物。
【請求項１０】
少なくとも１つの添加剤が、鉄（ＩＩ）を含む、請求項９に記載の処方物。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
自己免疫疾患または障害を治療するための薬剤の製造における、抗ＩＤＯ２抗体またはその抗原結合フラグメントおよび／または抗ＩＤＯ２アプタマーの使用。
【請求項２】
請求項１記載の使用において、前記抗ＩＤＯ２抗体またはその抗原結合フラグメントは自己免疫疾患または障害を治療するための薬剤の製造において使用される使用。
【請求項３】
請求項１記載の使用において、前記自己免疫疾患または障害は抗体分泌により維持される癌である使用。
【請求項４】
請求項１記載の使用において、前記自己免疫疾患または障害は抗体性腫瘍随伴症候群である使用。
【請求項５】
請求項１記載の使用において、前記自己免疫疾患または障害は抗体性炎症疾患である使用。
【請求項６】
請求項１記載の使用において、前記薬剤は、さらに、少なくとも１つの薬学的に許容される担体を有する使用。
【請求項７】
請求項１記載の使用において、前記抗ＩＤＯ２抗体および／または抗ＩＤＯ２アプタマーは配列ＩＤ番号：１に免疫学的に特異的である使用。
【請求項８】
請求項１記載の使用において、前記抗ＩＤＯ２抗体および／または抗ＩＤＯ２アプタマーはヒトＩＤＯ２のアミノ酸３３１−３５１に免疫学的に特異的である使用。
【請求項９】
請求項１記載の使用において、前記抗ＩＤＯ２抗体および／または抗ＩＤＯ２アプタマーは配列ＩＤ番号：２に免疫学的に特異的である使用。
【請求項１０】
請求項１記載の使用において、前記抗ＩＤＯ２抗体および／または抗ＩＤＯ２アプタマーは配列ＩＤ番号：５に免疫学的に特異的である使用。
【請求項１１】
請求項１記載の使用において、前記薬剤は、さらに、少なくとも１つの抗炎症薬を有する使用。
【請求項１２】
請求項１記載の使用において、前記自己免疫疾患は関節リウマチである使用。
【請求項１３】
請求項３記載の使用において、前記薬剤は、さらに、少なくとも１つの化学療法剤を有する使用。
【請求項１４】
自己抗体産生を抑制するための薬剤の製造における、抗ＩＤＯ２抗体またはその抗原結合フラグメントおよび／または抗ＩＤＯ２アプタマーの使用。
【請求項１５】
自己免疫疾患または障害を治療するために使用される、抗ＩＤＯ２抗体またはその抗原結合フラグメントおよび／または抗ＩＤＯ２アプタマー。
【請求項１６】
請求項１５記載の抗ＩＤＯ２抗体において、前記抗ＩＤＯ２抗体はヒトＩＤＯ２のアミノ酸３３１−３５１に免疫学的に特異的である抗ＩＤＯ２抗体。
【請求項１７】
請求項１５記載の抗ＩＤＯ２抗体において、前記抗ＩＤＯ２抗体は配列ＩＤ番号：２に免疫学的に特異的である抗ＩＤＯ２抗体。
【請求項１８】
請求項１５記載の抗ＩＤＯ２抗体において、前記抗ＩＤＯ２抗体は配列ＩＤ番号：５に免疫学的に特異的である抗ＩＤＯ２抗体。
【手続補正２】
【補正対象書類名】明細書
【補正対象項目名】０００３
【補正方法】変更
【補正の内容】
【０００３】
自己免疫の病原性因子は、依然として、自己免疫疾患に罹患した患者の罹患率および死亡率を低下させることを目的とした研究の重要な焦点である。炎症を軽減または作り変え、自己抗体またはＢ細胞集団を消耗させる治療戦略が探索され、臨床的成功は様々であった（Ｔｏｗｎｓｅｎｄ  ｅｔ  ａｌ．，Ｉｍｍｕｎｏｌ．Ｒｅｖ．（２０１０）２３７：２６４−２８３；Ｈａｒｖｅｙ  ｅｔ  ａｌ．，ＢｉｏＤｒｕｇｓ（２０１３）２７：８５−９５；Ｂｕｃｈ  ｅｔ  ａｌ．，Ａｎｎ．Ｒｈｅｕｍ．Ｄｉｓ．（２０１１）７０：９０９−９２０）。しかし、自己免疫反応を誘発する根底にあるメカニズムを標的とした新しい戦略は、まだ早急に必要である。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００９／０２５３７０６号明細書
（特許文献２）  米国特許出願公開第２０１３／０２２７７１９号明細書
（特許文献３）  米国特許出願公開第２０１４／００１０８６１号明細書
（非特許文献）
（非特許文献１）  ＳＣＯＴＴ  ｅｔ  ａｌ．"Ｔｈｅ  ｉｍｍｕｎｏｒｅｇｕｌａｔｏｒｙ  ｅｎｚｙｍｅ  ＩＤＯ  ｐａｒａｄｏｘｉｃａｌｌｙ  ｄｒｉｖｅｓ  Ｂ  ｃｅｌｌ−ｍｅｄｉａｔｅｄ  ａｕｔｏｉｍｍｕｎｉｔｙ，"  Ｊ  Ｉｍｍｕｎｏｌ，  １５  Ｊｕｎｅ  ２００９  （１５．０６．２００９），  Ｖｏｌ．  １８２，  Ｐｇｓ．  ７５０９−１７．
（非特許文献２）  ＭＥＲＬＯ  ｅｔ  ａｌ．"ＩＤＯ２  ｉｓ  ａ  ｃｒｉｔｉｃａｌ  ｍｅｄｉａｔｏｒ  ｏｆ  ａｕｔｏａｎｔｉｂｏｄｙ  ｐｒｏｄｕｃｔｉｏｎ  ａｎｄ  ｉｎｆｌａｍｍａｔｏｒｙ  ｐａｔｈｏｇｅｎｅｓｉｓ  ｉｎ  ａ  ｍｏｕｓｅ  ｍｏｄｅｌ  ｏｆ  ａｕｔｏｉｍｍｕｎｅ  ａｒｔｈｒｉｔｉｓ，"  Ｊ  Ｉｍｍｕｎｏｌ，  ３１  Ｊａｎｕａｒｙ  ２０１４  （３１．０１．２０１４），  Ｖｏｌ．  １９２，  Ｐｇｓ．  ２０８２−９０．
（非特許文献３）  ＰＩＧＯＴＴ  ｅｔ  ａｌ．"１−Ｍｅｔｈｙｌ−ｔｒｙｐｔｏｐｈａｎ  ｓｙｎｅｒｇｉｚｅｓ  ｗｉｔｈ  ｍｅｔｈｏｔｒｅｘａｔｅ  ｔｏ  ａｌｌｅｖｉａｔｅ  ａｒｔｈｒｉｔｉｓ  ｉｎ  ａ  ｍｏｕｓｅ  ｍｏｄｅｌ  ｏｆ  ａｒｔｈｒｉｔｉｓ，"  Ａｕｔｏｉｍｍｕｎｉｔｙ，  ０６  Ｍａｙ  ２０１４  （０６．０５．２０１４），  Ｖｏｌ．  ４７，  Ｐｇｓ．  ４０９−１８  ［Ｐｇｓ．  １−２２  ｆｏｒ  ｃｉｔａｔｉｏｎｓ］．
（非特許文献４）  ＰＩＧＯＴＴ  ｅｔ  ａｌ．"Ａｄｄｉｔｉｏｎ  ｏｆ  ａｎ  ｉｎｄｏｌｅａｍｉｎｅ  ２，３，−ｄｉｏｘｙｇｅｎａｓｅ  ｉｎｈｉｂｉｔｏｒ  ｔｏ  Ｂ  ｃｅｌｌ−ｄｅｐｌｅｔｉｏｎ  ｔｈｅｒａｐｙ  ｂｌｏｃｋｓ  ａｕｔｏｒｅａｃｔｉｖｅ  Ｂ  ｃｅｌｌ  ａｃｔｉｖａｔｉｏｎ  ａｎｄ  ｒｅｃｕｒｒｅｎｃｅ  ｏｆ  ａｒｔｈｒｉｔｉｓ  ｉｎ  Ｋ／ＢｘＮ  ｍｉｃｅ，"  Ａｒｔｈｒｉｔｉｓ  Ｒｈｅｕｍ，  Ｊｕｌｙ  ２０１２，  Ｖｏｌ．  ６４，  Ｐｇｓ．  ２１６９−７８．
（非特許文献５）  ＰＲＥＮＤＥＲＧＡＳＴ  ｅｔ  ａｌ．"ＩＤＯ２  ｉｎ  Ｉｍｍｕｎｏｍｏｄｕｌａｔｉｏｎ  ａｎｄ  Ａｕｔｏｉｍｍｕｎｅ  Ｄｉｓｅａｓｅ，"  Ｆｒｏｎｔ  Ｉｍｍｕｎｏｌ，  ２０  Ｎｏｖｅｍｂｅｒ  ２０１４  （２０．１１．２０１４），  Ｖｏｌ．  ５，  Ｐｇｓ．  １−６．
【手続補正書】
【提出日】令和1年7月2日(2019.7.2)
【手続補正１】
【補正対象書類名】明細書
【補正対象項目名】００３０
【補正方法】変更
【補正の内容】
【００３０】
前記Ｒ１及びＲ２基が環状であってもなくてもよい少なくとも１種のヘテロ原子を含むアルキル基から選択される場合、前記ヘテロ原子は好ましくは窒素である。
【手続補正２】
【補正対象書類名】明細書
【補正対象項目名】００５３
【補正方法】変更
【補正の内容】
【００５３】
糖類の５−ＨＭＦへの変換のための実施例３〜８について、５−ＨＭＦのモル収率は得られた５−ＨＭＦのモル数と使用した糖供給原料のモル数との比によって算出した。
実施例１：有機触媒チオウレア１の調製
３，５−トリフルオロメチルフェニルイソチオシアネート（１．４８５ｇ、５．５ｍｍｏｌ）及びシクロヘキシルアミン（０．５９５ｇ、６ｍｍｏｌ）を無水ジクロロメタンに溶解し、反応媒体を周囲温度で一晩攪拌した。次いで溶媒を減圧下で留去し、得られた粗生成物をシリカカラム上でのクロマトグラフィーにより移動相をＣＨ２Ｃｌ２／ＭｅＯＨグラジエントとして精製した。得られたチオウレア１の質量は０．８３ｇであった。チオウレア１に相当するモル収率は精製後４１％であった。
【手続補正３】
【補正対象書類名】特許請求の範囲
【補正対象項目名】請求項４
【補正方法】変更
【補正の内容】
【請求項４】
前記オリゴ糖は、サッカロース、ラクトース、マルトース、イソマルトース、イヌロビオース、メリビオース、ゲンチオビオース、トレハロース、セロビオース、セロトリオース、セロテトラオース、及び、デンプン、イヌリン、セルロース又はヘミセルロースの加水分解から得られる多糖の加水分解から得られるオリゴ糖から選択され、これらは単独又は混合物として使用される、請求項２に記載の方法。
【手続補正４】
【補正対象書類名】図面
【補正対象項目名】図１
【補正方法】変更
【補正の内容】
【図１】
2018526342.tif 000001
【手続補正書】
【提出日】令和1年6月6日(2019.6.6)
【手続補正１】
【補正対象書類名】明細書
【補正対象項目名】０１０６
【補正方法】変更
【補正の内容】
【０１０６】
さらに別の態様において、本発明は、（ａ）ハロベタゾールまたはその薬学的に許容される塩またはエステル、および（ｂ）タザロテンまたはその薬学的に許容されるタザロテン酸塩またはエステルの組合せを含む医薬組成物で乾癬を局所的に治療する方法であって、その組成物が、６週間または８週間などの少なくとも４週間に亘り一日少なくとも一回塗布される、方法を提供する。
【手続補正２】
【補正対象書類名】特許請求の範囲
【補正対象項目名】全文
【補正方法】変更
【補正の内容】
【特許請求の範囲】
【請求項１】
乾癬を治療するための局所用医薬組成物であって、該組成物が、
（ａ）前記組成物の０．００５〜０．０３質量％の濃度でのプロピオン酸ハロベタゾール、
（ｂ）前記組成物の０．０３〜０．０４９質量％の濃度でのタザロテン、および
（ｃ）皮膚科学的に許容される担体、
を含む、局所用医薬組成物。
【請求項２】
（ａ）前記組成物の０．０１質量％の濃度のプロピオン酸ハロベタゾール、および
（ｂ）該組成物の０．０４５質量％の濃度のタザロテン、
を含む、請求項１記載の局所用医薬組成物。
【請求項３】
前記組成物が水中油エマルションである、請求項１または２記載の局所用医薬組成物。
【請求項４】
前記プロピオン酸ハロベタゾールおよび前記タザロテンが、前記エマルションの液体油成分中に溶けている、請求項３記載の局所用医薬組成物。
【請求項５】
前記液体油成分が、ジカルボン酸エステル（ＤＣＡＥ）、モノカルボン酸エステル（ＭＣＡＥ）、またはそれらの組合せを含む、請求項４記載の局所用医薬組成物。
【請求項６】
前記液体油成分が、ジカルボン酸エステル（ＤＣＡＥ）、モノカルボン酸エステル（ＭＣＡＥ）、それらの組合せ、およびそれらの混合物からなる群より選択される、請求項４記載の局所用医薬組成物。
【請求項７】
前記水中油エマルションの油相が、セバシン酸ジエチルおよび軽油を含む液体油成分を含む、請求項３記載の局所用医薬組成物。
【請求項８】
前記エマルションがローションである、請求項３記載の局所用医薬組成物。
【請求項９】
前記エマルションがクリームである、請求項３記載の局所用医薬組成物。
【請求項１０】
前記エマルションの水相が、カルボマーコポリマータイプＢおよびカルボマーホモポリマータイプＡを含む、請求項７記載の局所用医薬組成物。
【請求項１１】
前記セバシン酸ジエチルが前記組成物の２．５〜３．５質量％の濃度で存在し、前記軽油が前記組成物の７．５〜８．５質量％の濃度で存在し、前記カルボマーコポリマータイプＢが前記組成物の０．３〜０．５質量％の濃度で存在し、前記カルボマーホモポリマータイプＡが前記組成物の０．５〜０．７質量％の濃度で存在する、請求項１０記載の局所用医薬組成物。